(57)【要約】【課題】アンテナ実装時の反射特性を改善でき、異なる機種に対して同一のアンテナを使用することができる装置及び方法を提供する。【解決手段】誘電体基板上にアンテナ素子とＧＮＤ部分とが設けられた電子機器に内蔵される無線通信用のアンテナにおいて、アンテナ素子の給電点から対角方向の誘電体基板の端部にＧＮＤ部分と高周波接続される開放導体を有する。ＧＮＤ部分は、高周波信号の進行方向に対して垂直方向の長さがアンテナ素子の動作周波数の波長の１／４未満の長さである。【選択図】図１
2012134948.tif 000002
【特許請求の範囲】
【請求項１】
無線通信用のアンテナであって、
高周波信号を給電するための給電点を備え、前記高周波信号の進行方向の他端が高周波的に開放された開放端であるアンテナ素子と、
前記高周波信号の進行方向に対して垂直方向の長さが前記アンテナ素子の動作周波数の波長の１／４未満の長さであるＧＮＤ部分とを設けた誘電体基板と、
前記ＧＮＤ部分と高周波接続される開放導体とを有し、
前記開放導体が前記給電点から対角方向の前記ＧＮＤ部分から予め定められた長さ突出するように前記開放導体と前記誘電体基板とが接続されていることを特徴とするアンテナ。
【請求項２】
前記開放導体の前記ＧＮＤ部分から突出する長さの調整が可能であることを特徴とする請求項１に記載のアンテナ。
【請求項３】
前記開放導体の前記ＧＮＤ部分から突出する長さが前記高周波信号の進行方向に対して垂直方向の前記ＧＮＤ部分の長さに応じていることを特徴とする請求項１又は２に記載のアンテナ。
【請求項４】
前記開放導体は、前記ＧＮＤ部分に対して３０°＜θ＜１８０°を満たす角度θとなるよう前記誘電体基板と接続されることを特徴とする請求項１乃至３の何れか１項に記載のアンテナ。
【請求項５】
前記開放導体が前記ＧＮＤ部分から突出する位置は、前記ＧＮＤ部分の端部の位置であることを特徴とする請求項１乃至４の何れか１項に記載のアンテナ。
【請求項６】
誘電体基板に、高周波信号を給電するための給電点を備え前記高周波信号の進行方向の他端が高周波的に開放された開放端であるアンテナ素子と、前記高周波信号の進行方向に対して垂直方向の長さが前記アンテナ素子の動作周波数の波長の１／４未満の長さであるＧＮＤ部分とを設け、前記給電点から対角方向の前記誘電体基板の端部に前記ＧＮＤ部分と高周波接続される開放導体を有する、無線通信用のアンテナの調整方法であって、
前記開放導体が前記給電点から対角方向の前記ＧＮＤ部分から突出する部分の長さを前記高周波信号の進行方向に対して垂直方向の前記誘電体基板の長さに応じて変えることにより前記アンテナ素子の入力反射係数を調整することを特徴とするアンテナの調整方法。
【請求項７】
請求項１乃至５の何れか１項に記載のアンテナを実装する電子機器。
【発明の詳細な説明】
【技術分野】
【０００１】
本発明は、電子機器に内蔵される無線通信用のアンテナ、その調整方法およびそのアンテナを実装する電子機器に関する。
【背景技術】
【０００２】
近年、パーソナルコンピュータなどの電子機器では、例えば無線ＬＡＮやBluetooth（商標登録）で代表される無線通信機能を備えたものが普及してきている。この無線ＬＡＮやBluetooth（登録商標）などの無線通信は、例えば２．５ＧＨｚ帯や５ＧＨｚ帯の電波が使用される。
【０００３】
このような無線通信機能を備えたパーソナルコンピュータでは、無線通信用のアンテナを内蔵しているが、例えばダイポールアンテナ、ヘリカルアンテナ、スロットアンテナ、逆Ｆアンテナなど、機種毎に種々のアンテナが使用されている。
【０００４】
これら各種アンテナは電子機器の小型化に伴い、実装スペースの限られた空間への実装を余儀なくされてきていると共に、コストの低減も要求されてきている。即ち、アンテナ単独で実装するよりも無線モジュールチップと同一の基板上にパターン化された形で実装することで低コスト化を図っている。
【０００５】
しかしながら、ＰＣなどの電子機器にアンテナを実装した場合、アンテナの周囲に位置する部材によってはアンテナの周波数特性が変化し、そのアンテナ単体での周波数特性と実装時の特性とが異なってしまうという問題がある。
【０００６】
そこで、従来ではアンテナを電子機器に実装することによって生じるアンテナの周波数特性の変化をアンテナ側で吸収している。例えば、アンテナの形状を調整するなどの方法により、実装時におけるアンテナの周波数特性が所望の特性となるようにしている。このようなアンテナの周囲の環境によるアンテナ特性変化をアンテナ側で吸収する案件は以下のようなものがある。
（１）空胴共振器として動作する放射素子のショートスタブ部分の長さを、スルーホール位置を変えることで調整して共振周波数を調整する。共振周波数の調整は放射素子の一部をなすスタブの長さを変えて行う（例えば、特許文献１参照）。
（２）マイクロストリップライン共振器に複数の先端開放スタブを予め接続形成しておき、スタブ先端部近傍に開放パターンを予め形成されている状態で半田付けにより短絡し、共振器に接続されているスタブの容量を変えることで共振周波数を調整する。共振周波数の調整は放射素子の一部をなすスタブの長さを変えて行う（例えば、特許文献２参照）。
【先行技術文献】
【特許文献】
【０００７】
【特許文献１】ＵＳ５４８３２４９
【特許文献２】特開平０９−１６２６４２号公報
【発明の概要】
【発明が解決しようとする課題】
【０００８】
しかしながら、アンテナ実装時における周波数特性の変化をアンテナ形状の調整により所望の特性に合わせ込む上記従来の方法では、次のような問題があった。即ち、電子機器の機種によってアンテナを実装する環境が異なるため、実装時における周波数特性の変化も一様でなく、異なる機種に対して同一のアンテナを使用することができなかった。
【０００９】
本発明は、アンテナ実装時の反射特性を改善しつつ、異なる機種に対して同一のアンテナを使用することができる装置及び方法を提供する。
【課題を解決するための手段】
【００１０】
本発明は、無線通信用のアンテナであって、
高周波信号を給電するための給電点を備え、前記高周波信号の進行方向の他端が高周波的に開放された開放端であるアンテナ素子と、
前記高周波信号の進行方向に対して垂直方向の長さが前記アンテナ素子の動作周波数の波長の１／４未満の長さであるＧＮＤ部分とを設けた誘電体基板と、
前記ＧＮＤ部分と高周波接続される開放導体とを有し、
前記開放導体が前記給電点から対角方向の前記ＧＮＤ部分から予め定められた長さ突出するように前記開放導体と前記誘電体基板とが接続されていることを特徴とする。
【発明の効果】
【００１１】
本発明によれば、アンテナ素子の形状、整合素子を変更することなく、アンテナ素子の反射特性を改善することができ、異なる機種に対して同一のアンテナで良好な特性を得ることができる。従って、アンテナの製造及び管理がきわめて容易となり、コストの低下を図ることができる。
【図面の簡単な説明】
【００１２】
【図１】電子機器に内蔵される無線通信用のアンテナの概略構成を示す図。
【図２】アンテナ素子の実装パターンを示す図。
【図３】チップアンテナの内部パターンを示す図。
【図４】電気長がλ／４以上確保できない場合のアンテナ素子の入力反射特性の様子を示す図。
【図５】２ＧＨｚ帯、Ｌｂ＝１８ｍｍ、Ｌｓ可変時の反射特性を示す図。
【図６】２ＧＨｚ帯、Ｌｂ＝２３ｍｍ、Ｌｓ可変時の反射特性を示す図。
【図７】２ＧＨｚ帯、Ｌｂ＝２８ｍｍ、Ｌｓ可変時の反射特性を示す図。
【図８】Ｌｓ可変時の反射特性のシミュレーション結果を示す図。
【図９】開放導体の取り付け角度を変えた場合の反射特性（２ＧＨｚ帯）を示す図。
【図１０】図９の角度θに対する反射損失ＲＬをｄＢ値で表した図。
【図１１】角度可変時の反射特性のシミュレーション結果を示す図。
【図１２】２ＧＨｚ帯の長さＬｂと長さＬｓとの関係を表す図。
【図１３】５ＧＨｚ帯、Ｌｂ＝８ｍｍ、Ｌｓ可変時の反射特性を示す図。
【図１４】図１３の長さＬｓに対する反射損失ＲＬをｄＢ値で表した図。
【図１５】５ＧＨｚ帯、Ｌｂ＝１６ｍｍ、Ｌｓ可変時の反射特性を示す図。
【図１６】図１５の長さＬｓに対する反射損失ＲＬをｄＢ値で表した図。
【図１７】開放導体の取り付け角度を変えた場合の反射特性（５ＧＨｚ帯）を示す図。
【図１８】図１７の角度θに対する反射損失ＲＬをｄＢ値で表した図。
【図１９】５ＧＨｚ帯の長さＬｂと長さＬｓとの関係を表す図。
【図２０】セラミックチップアンテナを実装したシミュレーション結果を示す図。
【図２１】開放導体の変形例を示す図。
【図２２】複数の異なる機器への無線部実装を示す図。
【図２３】複数の異なる機器へ同一のアンテナを実装した場合の例を示す図。
【図２４】本発明の特徴である開放導体と誘電体基板の機器への取付例を示す図。
【図２５】開放導体の構成を示す図。
【発明を実施するための形態】
【００１３】
以下、図面を参照しながら発明を実施するための形態について詳細に説明する。
【００１４】
図１は、電子機器に内蔵される無線通信用のアンテナの概略構成を示す図である。図１に示すように、アンテナは誘電体基板１０４が電子機器本体（不図示）の筐体板金１１１に取り付け穴１０７を用いてねじ等で接地されている。尚、アンテナの取り付け方法はこれに限らず、アンテナの動作周波数において十分インピーダンスの低くなる容量性結合でも構わない。
【００１５】
更に、誘電体基板１０４上にアンテナ素子１０１が実装され、ＧＮＤ部分１０５に無線モジュールチップ１０９が実装されている。アンテナ素子１０１は、一般的なモノポールアンテナであり、アンテナ素子１０１の一端は高周波信号を給電するための給電点１０２で、他端は給電点１０２に対して高周波的に開放された開放端１０３である。
【００１６】
一方、アンテナ素子１０１の給電点１０２から見て破線矢印Ａで示す対角方向の誘電体基板１０４の端部１０８には、本発明に係る開放導体１０６が取り付けられ、ＧＮＤ部分と高周波接続される。
【００１７】
また、誘電体基板１０４には、電子機器本体（不図示）や無線モジュールチップ１０９に信号を供給するためのコネクタ１１０が設けられ、更にＩＣ等の電気部品（不図示）が実装されている。
【００１８】
次に、誘電体基板１０４上に実装されるアンテナ素子１０１の実装パターンを、図２及び図３を用いて説明する。アンテナ素子１０１はモノポールアンテナであり、動作周波数の波長の１／４の電気長を有する導体パターン若しくは小型チップで実装される。
【００１９】
図２に示す（ａ）は直線のＬ型パターン、同（ｂ）は蛇行形状のミアンダライン構造のパターン、同（ｃ）は（ａ）と（ｃ）との組み合わせによるパターンのアンテナである。そして、同（ｄ）はセラミック若しくは樹脂等で小型化したチップアンテナである。図３は、チップアンテナの内部構造を示す図である。図３に示す（ａ）はヘリカル状の構造、同（ｂ）はミアンダライン構造、同（ｃ）はジグザグ状の構造を示すパターンである。
【００２０】
図１に戻り、誘電体基板１０４のＧＮＤ部分１０５の電気長（高周波信号の進行方向に対して垂直方向の長さ）は、一般的にアンテナ素子１０１を動作周波数で十分な反射係数を持って共振させるために、λ／４以上の電気長が必要である。ここで、λは動作周波数帯の中心周波数の波長である。
【００２１】
即ち、通常アンテナ素子１０１を実装している誘電体基板１０４のＧＮＤ部分１０５の電気長がλ／４以上確保できない場合、アンテナ素子１０１の入力反射特性は十分な特性を得られない。
【００２２】
図４は、電気長がλ／４以上確保できない場合のアンテナ素子１０１の入力反射特性の様子を示す図である。尚、図１と同一の部材には同一の符号を付し、誘電体基板１０４のＧＮＤ部分１０５の長さをＬｂとする。
【００２３】
ここで、動作周波数帯を２ＧＨｚの無線ＬＡＮを想定した場合、２．４５ＧＨｚを動作周波数帯の中心周波数とするとλ／４は約３０ｍｍ程度であり、Ｌｂはこれ以上の長さであれば十分なアンテナ素子１０１の反射特性が得られる。
【００２４】
Ｌｂが３０ｍｍ確保できなく、例えば１８ｍｍ程度の長さしか確保できない場合など、右図のスミス図に示す矢印のような中心から距離が遠いアンテナ素子１０１の反射特性となってしまう。
【００２５】
反射特性を示す指標としてVSWR（電圧定在波比）及びＲＬ（反射損失）があり、スミス図の中心からの距離が近い程良好な反射特性を示す。通常、アンテナの反射特性として、VSWR＜２．０、ＲＬ＜−９．５ｄＢを目安として実装されるのが好ましい。ここで、電圧定在波比VSWRと反射損失ＲＬとの関係は以下のようになる。
【００２６】
VSWR＝（１０ＲＬ／２０＋１）／（１０ＲＬ／２０−１）…（１）
ＲＬ＝２０Ｌｏｇ１０（（VSWR＋１）／（VSWR−１））…（２）。
【００２７】
図４に示すｆｌ、ｆｃ、ｆｕは動作周波数帯の下端、中心、上端の周波数である。概ねＲＬにして−５ｄＢ以上の値となり、通常アンテナの反射特性として要求される電圧定在波比VSWR＜２．０（反射損失ＲＬ＜−９．５ｄＢ）は確保できない。
【００２８】
これを改善するためには、アンテナ素子１０１のパターン変更、整合素子の変更などが必要となり、アンテナ素子１０１、整合素子の使いまわし、共通化ができなくなる。
【００２９】
そこで、本実施形態における開放導体１０６は、アンテナ素子１０１を実装する誘電体基板１０４のＧＮＤ部分１０５の長さＬｂがλ／４以上確保できない場合にアンテナ素子１０１の入力反射特性を改善するためのものである。
【００３０】
以下、誘電体基板１０４のＧＮＤ部分１０５の長さＬｂを予め定めておき、誘電体基板１０４に取り付けた開放導体１０６の長さＬｓを変えた時のアンテナ素子１０１の入力反射特性を、図５乃至図７を用いて説明する。
【００３１】
まず、図５に示す例は、ＧＮＤ部分１０５の長さＬｂを１８ｍｍとして開放導体１０６の長さＬｓを変えた時のアンテナ素子１０１の入力反射特性の様子を示している。図５に示す例では、WLANの２ＧＨｚ帯の中心周波数２．４４ＧＨｚとし、開放導体１０６の長さＬｓを０ｍｍ〜２０ｍｍまで５ｍｍ間隔で長くした場合のスミス図が示されている。
【００３２】
誘電体基板１０４のＧＮＤ部分１０５の長さＬｂが１８ｍｍの場合、開放導体１０６の長さが０ｍｍ、つまり開放導体１０６をつけない場合、アンテナ素子１０１の入力からの反射が大きく、VSWR＜２．０の確保が難しい。しかし、開放導体１０６の長さＬｓを調整することで反射特性が改善されている様子がわかる。図５によれば、概ね開放導体１０６の長さを２０ｍｍ以上にすることで、VSWR＜２．０の反射係数が得られる。
【００３３】
次に、図６に示す例は、ＧＮＤ部分１０５の長さＬｂを２３ｍｍとして開放導体１０６の長さＬｓを変えた時のアンテナ素子１０１の入力反射特性の様子を示している。図６に示す例では、測定の条件は図５に示した例と同じであるが、ＧＮＤ部分１０５の長さＬｂが５ｍｍ長い分、概ね開放導体１０６の長さを１５ｍｍ以上にすることで、VSWR＜２．０の反射係数が得られる。
【００３４】
次に、図７に示す例は、ＧＮＤ部分１０５の長さＬｂを２８ｍｍとして開放導体１０６の長さＬｓを変えた時のアンテナ素子１０１の入力反射特性の様子を示している。図７に示す例では、測定の条件は図６に示した例と同じであるが、ＧＮＤ部分１０５の長さＬｂが５ｍｍ長い分、概ね開放導体１０６の長さを１０ｍｍ以上にすることで、VSWR＜２．０の反射係数が得られる。
【００３５】
上述のように、誘電体基板のＧＮＤ部分の長さが動作周波数の波長の１／４未満の場合でも、開放導体の長さを変えることで、アンテナ素子のパターン、整合素子を変えることなく、アンテナ素子の入力反射特性を改善することができる。
【００３６】
即ち、使用周波数の波長をλとし、ＧＮＤ部分１０５の長さＬｂがλ／４以上の長さを確保できない場合でも、ＧＮＤ部分１０５の長さＬｂに応じて開放導体１０６の長さＬｓを変えることで、アンテナ素子１０１の入力反射特性を改善することができる。
【００３７】
また、図８に示す例は、ＧＮＤ部分１０５の長さＬｂを３０ｍｍとして開放導体１０６の長さＬｓを変えた時のアンテナ素子１０１の入力反射特性の変化をシミュレーションした結果を示している。測定の条件はWLANの２ＧＨｚ帯の中心周波数２．４４ＧＨｚとし、入力反射係数の値をプロットしたものである。また、図８に示す例は、開放導体１０６の長さＬｓを３ｍｍ〜３０ｍｍまで３ｍｍ間隔で変えたものである。
【００３８】
図８によれば、開放導体１０６の長さＬｓが３ｍｍの場合、アンテナ素子１０１の入力からの反射が大きく、VSWR＜２．０の確保が難しいが、開放導体１０６の長さＬｓを長くしていくことで、反射特性が改善されている様子がわかる。即ち、開放導体１０６の長さＬｓを概ね９ｍｍ〜２４ｍｍの範囲にすれば、VSWR＜２．０の反射係数が得られる。
【００３９】
上述した例では、アンテナ素子１０１の給電点１０２から見て誘電体基板１０４の対角方向の端部に角度固定で開放導体１０６を取り付けた場合を説明したが、取り付け角度を変えることで、VSWR＜２．０の反射係数を得ることも可能である。以下、開放導体１０６の取り付け角度を変えた場合のアンテナ素子１０１の入力反射特性の変化を、図９乃至図１１を用いて説明する。
【００４０】
まず、図９に示す例は、誘電体基板１０４のＧＮＤ部分１０５の長さＬｂを２８ｍｍにし、開放導体１０６の長さＬｓを２０ｍｍに固定する。開放導体１０６の取り付け角度を誘電体基板１０４の側面に対して０°〜１８０°まで変化させた時のアンテナ素子１０１の入力反射の様子をスミス図に示している。
【００４１】
また、測定の条件はWLANの２ＧＨｚ帯の中心周波数２．４４ＧＨｚとし、そのポイントでの反射係数の値を示すものである。更に、図１０は各角度におけるアンテナ素子１０１の反射損失ＲＬをｄＢ値で表した図である。
【００４２】
図９、図１０によれば、角度０°の場合、開放導体１０６がＧＮＤ部分１０５と重なりあうことで、開放導体１０６を取り付けない状態となり、アンテナ素子１０１の入力からの反射が大きく、ＲＬ＝−７．４ｄＢでVSWR＜２．０の確保ができない。しかし、角度を大きくしていくことで、反射特性が改善されている様子がわかる。具体的には、図１０に示す値から角度θが３０°以上であれば、VSWR＜２．０が確保できることがわかる。
【００４３】
また、図１１に示す例は、誘電体基板１０４の端部を基準に開放導体１０６の取り付け角度を変えた時のアンテナ素子１０１の入力反射特性を示すシミュレーション結果である。シミュレーションの条件は誘電体基板１０４のＧＮＤ部分１０５の長さＬｂを３０ｍｍとし、開放導体１０６の長さＬｓを２０ｍｍとしている。
【００４４】
図１１によれば、角度が＋９０°の場合、開放導体１０６がＧＮＤ部分１０５と重なりあうことで、開放導体１０６を取り付けない状態となり、アンテナ素子１０１の入力反射が大きく、VSWR＜２．０を確保できない。しかし、開放導体１０６と誘電体基板１０４との角度を＋６０°、＋３０°、０°、−６０°、−９０°と変えていくことで、反射特性が改善されている様子がわかる。このシミュレーション結果より、角度θが概ね−９０°〜＋３０°の範囲であれば、VSWR＜２．０が確保できることがわかる。
【００４５】
ここで、図１２は、２ＧＨｚ帯での入力反射係数を満足するための誘電体基板におけるＧＮＤ部分の長さＬｂと開放導体の長さＬｓとの関係を表す図である。図１２において、横軸はＧＮＤ部分の長さＬｂを、縦軸は開放導体の長さＬｓを示している。そして、Ｌｓ（min）は長さＬｂに対して、VSWR＜２．０を満たすための最小の長さを、Ｌｓ（max）は長さＬｂに対して、VSWR＜２．０を満たすための最大の長さを示している。
【００４６】
図１２によれば、上述の長さＬｂと長さＬｓとの関係は、VSWR＜２．０を満たすための最小の長さＬｓ（min）に対しては概ね以下の直線で関係付けられる。
【００４７】
Ｌｓ＝−Ｌｂ＋５３（１８＜Ｌｂ＜３８）
また、VSWR＜２．０を満たすための最大の長さＬｓ（max）に対しては概ね以下の直線で関係付けられる。
【００４８】
Ｌｓ＝−Ｌｂ＋４３（１８＜Ｌｂ＜３８）
即ち、アンテナ素子１０１の反射係数VSWR＜２．０を満たすためのＬｂとＬｓとの関係は定数をＫとした場合、Ｌｓ＝−Ｌｂ＋Ｋ、ここで４３＜Ｋ＜５３（１８＜Ｌｂ＜３８）となる。
【００４９】
次に、５ＧＨｚ帯で開放導体１０６を取り付けた場合のアンテナ素子１０１の入力反射特性を説明する。上述した２ＧＨｚ帯と同様に、誘電体基板１０４のＧＮＤ部分１０５の長さＬｂを予め定めておき、誘電体基板１０４に取り付けた開放導体１０６の長さＬｓを変えた時のアンテナ素子１０１の入力反射特性を、図１３乃至図１８を用いて説明する。
【００５０】
まず、図１３に示す例は、ＧＮＤ部分１０５の長さＬｂを８ｍｍとして開放導体１０６の長さＬｓを変えた時のアンテナ素子１０１の入力反射特性の様子を示している。図１３に示す例では、WLANの５ＧＨｚ帯の低域周波数５．０ＧＨｚとし、開放導体１０６の長さＬｓを０ｍｍ〜２０ｍｍまで５ｍｍ間隔で長くした場合のスミス図が示されている。
【００５１】
誘電体基板１０４のＧＮＤ部分１０５の長さＬｂが８ｍｍの場合、開放導体１０６の長さ０ｍｍ、つまり開放導体１０６をつけない場合、アンテナ素子１０１の入力からの反射が大きく、VSWR＜２．０の確保が難しい。しかし、開放導体１０６の長さＬｓを調整することで、反射特性が改善されている様子がわかる。
【００５２】
また図１４は、開放導体１０６の長さＬｓを変えた時のアンテナ素子１０１の反射損失ＲＬをｄＢで表した図である。図１４によれば、開放導体１０６の長さＬｓを１０ｍｍ近傍にすることで反射損失ＲＬが−１６．０ｄＢとなり、VSWR＜２．０の反射係数が得られる。一方、開放導体１０６を１５ｍｍ以上長いものにすると、反射損失ＲＬが−６．９ｄＢとなり、逆に反射特性が悪くなる。
【００５３】
次に、図１５に示す例は、測定の条件は図１３に示した例と同じでＧＮＤ部分１０５の長さを１６ｍｍとして開放導体１０６の長さＬｓを変えた時のアンテナ素子１０１の入力反射特性の様子を示している。図１５に示す例では、ＧＮＤ部分１０５の長さＬｂが８ｍｍ長い分、開放導体１０６の長さＬｓが０ｍｍ、つまり、開放導体１０６がなしでも誘電体基板１０４のＧＮＤ部分１０５の長さがλ／４以上確保できている。そのため、VSWR＜２．０の反射係数が得られる。
【００５４】
また図１６は、開放導体１０６の長さＬｓを変えた時のアンテナ素子１０１の反射損失ＲＬをｄＢで表した図である。図１６によれば、開放導体１０６の長さＬｓを５ｍｍ近傍にすることで反射損失ＲＬが−１２．３ｄＢとなり、VSWR＜２．０の反射係数が得られる。一方、開放導体１０６を１０ｍｍ以上長いものにすることで反射特性が悪くなる。
【００５５】
また、上述した２ＧＨｚの図９に示す例と同様に、５ＧＨｚ帯で開放導体１０６の取り付け角度を変えることで、VSWR＜２．０の反射係数を得ることも可能である。以下、開放導体１０６の取り付け角度を変えた場合のアンテナ素子１０１の入力反射特性の変化を、図１７を用いて説明する。
【００５６】
図１７に示す例は、誘電体基板１０４のＧＮＤ部分１０５の長さＬｂを８ｍｍ、開放導体１０６の長さＬｓを１５ｍｍに固定する。開放導体１０６の取り付け角度を誘電体基板１０４の側面に対して０°〜１８０°まで変化させた時のアンテナ素子１０１の入力反射の様子をスミス図に示している。
【００５７】
また、測定の条件はWLANの５ＧＨｚ帯の周波数５．０ＧＨｚとし、そのポイントでの反射係数の値を示すものである。更に、図１８は各角度におけるアンテナ素子１０１の反射損失ＲＬをｄｂ値で表した図である。
【００５８】
図１７、図１８によれば、角度０°の場合、開放導体１０６がＧＮＤ部分１０５と重なりあうことで、開放導体１０６を取り付けない状態となり、アンテナ素子１０１の入力からの反射が大きく、ＲＬ＝−７．３ｄＢでVSWR＜２．０の確保ができない。しかし、角度を大きくしていくことで、反射特性が改善されている様子がわかる。具体的には、図１８に示す値から角度θの範囲が３０°＜θ＜１８０°であれば、VSWR＜２．０が確保できることがわかる。
【００５９】
ここで、図１９は、５ＧＨｚ帯での入力反射係数を満足するための誘電体基板におけるＧＮＤ部分の長さＬｂと開放導体の長さＬｓとの関係を表す図である。図１９において、横軸はＧＮＤ部分の長さＬｂを、縦軸は開放導体の長さＬｓを示している。そして、Ｌｓ（min）は長さＬｂに対して、VSWR＜２．０を満たすための最小の長さを、Ｌｓ（max）は長さＬｂに対して、VSWR＜２．０を満たすための最大の長さを示している。
【００６０】
図１９によれば、上述の長さＬｂと長さＬｓとの関係は、VSWR＜２．０を満たすための最小の長さＬｓ（min）に対しては概ね以下の直線で関係付けられる。
【００６１】
Ｌｓ（min）＝−９／１６＊Ｌｂ＋１０（８＜Ｌｂ＜１６）
また、VSWR＜２．０を満たすための最大の長さＬｓ（max）に対しては概ね以下の直線で関係付けられる。
【００６２】
Ｌｓ（max）＝−９／１６＊Ｌｂ＋１７（８＜Ｌｂ＜１６）
即ち、アンテナ素子１０１の反射係数VSWR＜２．０を満たすためのＬｂとＬｓとの関係は定数をＬとした場合、Ｌｓ＝−Ｌｂ＋Ｌ、ここで１０＜Ｌ＜１７（８＜Ｌｂ＜１６）となる。
【００６３】
次に、誘電体基板１０４にアンテナ素子１０１として２ＧＨｚ帯で動作するセラミックチップアンテナを実装してシミュレーションした結果を、図２０を用いて説明する。この例では、図２０に示すようにセラミックチップアンテナとしてヘリカル構造のモノポールアンテナを使用している。
【００６４】
また、誘電体基板１０４のＧＮＤ部分１０５の長さＬｂを１８ｍｍに固定し、開放導体１０６の長さＬｓを変えた時のアンテナ素子１０１の入力反射特性の様子をスミス図に示している。このスミス図の測定の条件はWLANの２ＧＨｚ帯の中心周波数２．４４ＧＨｚとし、そのポイントでの反射係数の値をプロットしたものである。ここで、ポイントは長さＬｓを３ｍｍ〜１８ｍｍまで３ｍｍ間隔で変えたものである。
【００６５】
誘電体基板１０４のＧＮＤ部分１０５の長さＬｂが１８ｍｍの場合、開放導体１０６の長さＬｓが３ｍｍではアンテナ素子１０１の入力反射が大きく、VSWR＜２．０の確保が難しい。しかし、開放導体１０６の長さＬｓを長くしていくことで、反射特性が改善されている様子がわかる。具体的には、開放導体１０６の長さが概ね９ｍｍ〜１８ｍｍの範囲であれば、VSWR＜２．０の反射係数が得られる。
【００６６】
以上説明したように誘電体基板１０４のＧＮＤ部分１０５の長さに応じて開放導体１０６を所望の長さにする事でアンテナ素子１０１の入力反射特性が改善される。
【００６７】
次に、複数の異なる機器に対して同一のアンテナを共有して使用する場合の実施形態について説明する。
【００６８】
図２２に同一のアンテナを実装する３種類の機器Ａ、機器Ｂ、機器Ｃを示す。機器Ａ、Ｂ、Ｃに対して異なる実装位置に同一のアンテナ素子を実装するものとする。
【００６９】
図２３は異なる機器Ａ，Ｂ，Ｃに実装する同一のアンテナ素子を搭載した誘電体基板Ａ、Ｂ、Ｃを示す図である。図においてそれぞれの誘電体基板のＧＮＤ部分の長さは異なり誘電体基板Ａ、Ｂ，ＣのＧＮＤ部分の長さはそれぞれＬＡ、ＬＢ、ＬＣとする。
【００７０】
機器Ａには誘電体基板Ａを、機器Ｂには誘電体基板Ｂを、機器Ｃには誘電体基板Ｃを、実装するものであり、誘電体基板ＧＮＤ長ＬＡ、ＬＢ、ＬＣは使用周波数帯域の中心周波数の波長をλとした場合λ/４より短いＧＮＤ長を有するものである。
【００７１】
このような場合、機器に実装した場合、各々の誘電体基板に実装されたアンテナ素子の反射特性は良好な特性が得られない。
【００７２】
機器ごとに実装するアンテナ基板ＧＮＤ長が異なるため、機器ごとにアンテナ素子のパターン長を変えたり、整合素子の変更が必要になってしまう。
【００７３】
このような場合に、今まで説明してきたように機器毎に本発明の特徴である開放導体の長さをそれぞれの機器に実装された誘電体基板のＧＮＤ部分の長さに応じて調整する事によってアンテナ素子の反射特性を改善する事ができる。
【００７４】
図２４に本発明の特徴である開放導体と誘電体基板の機器への取付の実施例を示す。図２４の（ａ）において５００は電子機器（図示せず）内部にある筺体板金であり、誘電体基板５０２を取り付けるネジ穴５０１を有するものである。
【００７５】
５０４は本発明の特徴である開放導体で中央部にスリット部５０５を有し、誘電体基板５０２と筺体板金５００の間に挿入され、ネジ穴５０１にネジ止めされ誘電体基板５０２、開放導体５０４、筺体板金５００は接続され高周波的に接地された状態になる。
【００７６】
図２４の（ｂ）に開放導体と誘電体基板を筺体板金に取り付けた状態を示す。この取付状態と図１で示す状態は同一のものである。
【００７７】
図１と図２４において開放導体１０６と５０４は同一部材である。また図１の１１１の筺体板金と図２４の筺体板金５００も同一部材である。図１の誘電体基板１０４と図２４の誘電体基板５０２も同様に同一部材である。
【００７８】
このように本発明の特徴である開放導体５０４は電子機器本体の筺体板金５００と誘電体基板５０２の間に挟み込みネジ止めする事によって高周波接続される。
【００７９】
図２５図に開放導体５０４の構成を示す。図において、５０４は開放導体で、５０５は開放導体を筺体板金５００のネジ止めする為の長穴もしくはスリットであり、図２４の（ｂ）に示すように、誘電体基板５０２の端部から突出する長さＬｓを矢印方向に可動調整できる構成となっている。
【００８０】
よって、アンテナの反射特性の調整は、誘電体基板５０２の端部から突出する開放導体の長さＬｓを矢印方向にスライドさせて変える事で行う。
【００８１】
その機種に実装される誘電体基板５０２のＧＮＤ長に応じて誘電体基板ＧＮＤ部分から突出させる開放導体の長さＬｓを変える事で最適な反射特性に調整するものである。
【００８２】
［変形例］
次に、上述した開放導体１０６の変形例を、図２１を用いて説明する。開放導体１０６は板状の板金（導電部材）にかかわらず、図２１に示すように、所望の長さを有する導体１０６’でも構わない。
【００８３】
また、伝導率の高いフレキシブルな樹脂にコーティングされた所望の長さを有する銅箔の構成でも構わない。
【００８４】
［他の実施形態］
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2012134948.tif 000003
【図２】
2012134948.tif 000004
【図３】
2012134948.tif 000005
【図１０】
2012134948.tif 000006
【図１２】
2012134948.tif 000007
【図１４】
2012134948.tif 000008
【図１６】
2012134948.tif 000009
【図１８】
2012134948.tif 000010
【図１９】
2012134948.tif 000011
【図２１】
2012134948.tif 000012
【図２２】
2012134948.tif 000013
【図２３】
2012134948.tif 000014
【図２４】
2012134948.tif 000015
【図２５】
2012134948.tif 000016
【図４】
2012134948.tif 000017
【図５】
2012134948.tif 000018
【図６】
2012134948.tif 000019
【図７】
2012134948.tif 000020
【図８】
2012134948.tif 000021
【図９】
2012134948.tif 000022
【図１１】
2012134948.tif 000023
【図１３】
2012134948.tif 000024
【図１５】
2012134948.tif 000025
【図１７】
2012134948.tif 000026
【図２０】
2012134948.tif 000027